(57)【特許請求の範囲】
【請求項１】
ユーザーが商品の購入を希望する場合に、前記ユーザーが購入を希望する商品の種類の中から前記ユーザーが所有する所有物品のいずれかにコーディネート可能で購入可能な商品の商品情報を提示するための商品情報案内システムであって、
メインサーバーと、当該メインサーバーにネットワークを介して接続可能な不特定の前記ユーザーの情報端末と、前記メインサーバーにネットワークを介して接続可能で、前記商品を販売する複数の加盟店それぞれの情報端末とを備え、
前記加盟店の前記情報端末は、前記商品情報が検索可能に蓄積されたショップサーバーを備え、
前記メインサーバーは、前記ユーザーの前記情報端末および／または前記ユーザーが商品を購入した前記加盟店の前記情報端末から入力され、各ユーザーが所有する前記所有物品の商品名等の前記所有物品を示す所有物品データを記憶するデータベースと、
前記ユーザーの前記所有物品データを含む情報を各加盟店の前記情報端末に出力するショップ出力手段と、
前記加盟店の前記情報端末から入力された前記商品情報を含む情報を前記ユーザーの前記情報端末に出力するユーザー出力手段とを備え、
前記ショップ出力手段は、前記ユーザーの前記情報端末から購入を希望する商品の種類、予算等の前記商品購入の希望条件を示す希望条件情報が前記メインサーバーに入力された場合に、前記希望条件を入力した前記情報端末の前記ユーザーに基づいて前記データベースに登録された前記所有物品データを求め、前記希望条件情報と、前記所有物品データとを各加盟店の前記情報端末に出力し、
前記加盟店の前記情報端末は、前記所有物品データと前記希望条件情報とが入力されるとともに、前記所有物品データおよび前記希望条件情報を参照可能に表示し、
かつ、前記所有物品データに示される所有物品のいずれかにコーディネート可能で、前記希望条件情報に示される商品を前記ショップサーバーに蓄積された商品情報から検索する操作がなされるとともに、検索された商品情報から前記ユーザーに提示する商品情報を選択する操作がなされた場合に、選択された前記商品情報を前記メインサーバーに出力し、
前記ユーザー出力手段は、前記希望条件情報を入力した前記ユーザーの前記情報端末に、前記加盟店の前記情報端末から入力された前記商品情報を出力し、
前記ユーザーの前記情報端末は、入力された前記商品情報を表示することを特徴とする商品情報案内システム。
【請求項２】
前記ユーザーが購入を希望する前記商品および前記ユーザーが所有する所有物品が服飾、履物、装身具等の身だしなみに関して身に着ける物品であり、
前記メインサーバーの前記データベースには、前記ユーザーの前記情報端末から入力された前記ユーザーの身長等のユーザーの体格の各サイズの情報である体格データが登録されて蓄積され、
前記ショップ出力手段は、前記ユーザーの前記情報端末から前記希望条件情報が前記メインサーバーに入力された場合に、前記希望条件を入力した前記情報端末の前記ユーザーに基づいて前記データベースに登録された前記体格データを求め、前記希望条件情報および前記所有物品データに加えて前記体格データを各加盟店の前記情報端末に出力し、
前記各加盟店の前記情報端末には、前記所有物品データおよび前記希望条件情報に加えて前記体格データが入力されることを特徴とする請求項１に記載の商品情報案内システム。
【請求項３】
ユーザーが商品の購入を希望する場合に、前記ユーザーが購入を希望する商品の種類の中から前記ユーザーが所有する所有物品のいずれかにコーディネート可能で購入可能な商品の商品情報を提示するための商品情報案内システムは、
メインサーバーと、当該メインサーバーにネットワークを介して接続可能な不特定の前記ユーザーの情報端末と、前記メインサーバーにネットワークを介して接続可能で、前記商品を販売する複数の加盟店それぞれの情報端末とを備え、
前記加盟店の前記情報端末は、前記商品情報が検索可能に蓄積されたショップサーバーを備え、
前記メインサーバーは、前記ユーザーの前記情報端末および／または前記ユーザーが商品を購入した前記加盟店の前記情報端末から入力され、各ユーザーが所有する前記所有物品の商品名等の前記所有物品を示す所有物品データを記憶するデータベースと、
前記ユーザーの前記所有物品データを含む情報を各加盟店の前記情報端末に出力するショップ出力手段と、
前記加盟店の前記情報端末から入力された前記商品情報を含む情報を前記ユーザーの前記情報端末に出力するユーザー出力手段とを備え、
前記商品情報案内システムを用いた商品情報案内方法であって、
前記ショップ出力手段は、前記ユーザーの前記情報端末から購入を希望する商品の種類、予算等の前記商品購入の希望条件を示す希望条件情報が前記メインサーバーに入力された場合に、前記希望条件を入力した前記情報端末の前記ユーザーに基づいて前記データベースに登録された前記所有物品データを求め、前記希望条件情報と、前記所有物品データとを各加盟店の前記情報端末に出力し、
前記加盟店の前記情報端末は、前記所有物品データと前記希望条件情報とが入力されるとともに、前記所有物品データおよび前記希望条件情報を参照可能に表示し、
かつ、前記所有物品データに示される所有物品のいずれかにコーディネート可能で、前記希望条件情報に示される商品を前記ショップサーバーに蓄積された商品情報から検索する操作がなされるとともに、検索された商品情報から前記ユーザーに提示する商品情報を選択する操作がなされた場合に、選択された前記商品情報を前記メインサーバーに出力し、
前記ユーザー出力手段は、前記希望条件情報を入力した前記ユーザーの前記情報端末に、前記加盟店の前記情報端末から入力された前記商品情報を出力し、
前記ユーザーの前記情報端末は、入力された前記商品情報を表示することを特徴とする商品情報案内方法。
【請求項４】
前記ユーザーが購入を希望する前記商品および前記ユーザーが所有する所有物品が服飾、履物、装身具等の身だしなみに関して身に着ける物品であり、
前記メインサーバーの前記データベースには、前記ユーザーの前記情報端末から入力された前記ユーザーの身長等のユーザーの体格の各サイズの情報である体格データが登録されて蓄積され、
前記ショップ出力手段は、前記ユーザーの前記情報端末から前記希望条件情報が前記メインサーバーに入力された場合に、前記希望条件を入力した前記情報端末の前記ユーザーに基づいて前記データベースに登録された前記体格データを求め、前記希望条件情報および前記所有物品データに加えて前記体格データを各加盟店の前記情報端末に出力し、
前記各加盟店の前記情報端末には、前記所有物品データおよび前記希望条件情報に加えて前記体格データが入力されることを特徴とする請求項３に記載の商品情報案内方法。
【発明の詳細な説明】
【０００１】
【発明の属する技術分野】
本発明は、商品情報案内システムおよび商品情報案内方法に関し、たとえば、ユーザーが身支度をするときなどに生じるニーズに対して、該当するショップサイトから適切な商品情報が案内されるシステムおよび方法に関する。
【０００２】
【従来の技術】
従来より、加盟店が提供するデジタルコンテンツのうちから、ユーザーが指定した内容を案内するシステムが種々知られている。これらのシステムでは、たとえばインターネットを介してユーザーの情報端末をショッピング用のメインサーバーに接続し、ユーザーが指定した商品の商品情報が各情報端末に送信される。これにより、ユーザーが複数の商品情報を参照しながら購入希望の商品をメインサーバーに通知してショッピングをすることができる。そして、メインサーバーでは、各情報端末から通知された購入希望の商品について、ユーザーの発注依頼を電子メールで加盟店に送信してから、たとえばクレジットカードなどにより所定の金融機関に対して購入金額の決済を行っている。
【０００３】
このようなショッピングで、メインサーバーから多数の商品群がユーザーに提示される場合には、その検索エンジンによりユーザーの指定事項に該当する商品が検索されて、その商品情報だけが各ユーザーの情報端末に送信される。したがって、ユーザーが希望しない商品情報まで提示されてしまうことがないと共に、商品情報を提供する加盟店のショップサイト、保存・中継するメインサーバーの通信量およびメモリ容量を大幅に節約できる場合もある。
【０００４】
【発明が解決しようとする課題】
ところが、上述したような従来技術においては、次のような問題がある。
（１）ユーザーは、一般に新商品を含む各ショップサイトの品揃えなどを熟知していないために、必ずしも適切な事項を指定できるわけではない。その場合には、あらかじめ各加盟店がユーザーの意図を経験的に推定して、指定事項と近似する数種類の商品群をまとめて案内しなければならない。
【０００５】
（２）商品群を案内するとしても、各商品が画一的な基準でリストアップされるために、ユーザーのニーズに適切に対応できるとは限らない。また、各加盟店が商品知識を駆使してユーザー好みの別商品を紹介したくても、対面販売と異なりユーザーの具体的なニーズなどが不明では困難である。
【０００６】
（３）ニーズが明らかになったとしても、その場合の服飾や所持品、体格などが不明では、商品購入と直接に結びつく具体的な商品情報を提供できない。また、その都度、詳細なアンケートをユーザーに要求すれば、楽しいショッピングがきわめて煩わしいものになりかねない。
【０００７】
本発明は、上記事情に鑑みて為されたもので、ユーザー個別の状況に十分に配慮できると共に、各加盟店の営業ノウハウを駆使してユーザーに適したコンテンツが提供できる商品情報案内システムおよび商品情報案内方法を提供することを目的とする。
【０００８】
【課題を解決するための手段】
上記目的を達成するために、本発明の請求項１記載の商品情報案内システムは、ユーザーが商品の購入を希望する場合に、前記ユーザーが購入を希望する商品の種類の中から前記ユーザーが所有する所有物品のいずれかにコーディネート可能で購入可能な商品の商品情報を提示するための商品情報案内システムであって、
メインサーバーと、当該メインサーバーにネットワークを介して接続可能な不特定の前記ユーザーの情報端末と、前記メインサーバーにネットワークを介して接続可能で、前記商品を販売する複数の加盟店それぞれの情報端末とを備え、
前記加盟店の前記情報端末は、前記商品情報が検索可能に蓄積されたショップサーバーを備え、
前記メインサーバーは、前記ユーザーの前記情報端末および／または前記ユーザーが商品を購入した前記加盟店の前記情報端末から入力され、各ユーザーが所有する前記所有物品の商品名等の前記所有物品を示す所有物品データを記憶するデータベースと、
前記ユーザーの前記所有物品データを含む情報を各加盟店の前記情報端末に出力するショップ出力手段と、
前記加盟店の前記情報端末から入力された前記商品情報を含む情報を前記ユーザーの前記情報端末に出力するユーザー出力手段とを備え、
前記ショップ出力手段は、前記ユーザーの前記情報端末から購入を希望する商品の種類、予算等の前記商品購入の希望条件を示す希望条件情報が前記メインサーバーに入力された場合に、前記希望条件を入力した前記情報端末の前記ユーザーに基づいて前記データベースに登録された前記所有物品データを求め、前記希望条件情報と、前記所有物品データとを各加盟店の前記情報端末に出力し、
前記加盟店の前記情報端末は、前記所有物品データと前記希望条件情報とが入力されるとともに、前記所有物品データおよび前記希望条件情報を参照可能に表示し、
かつ、前記所有物品データに示される所有物品のいずれかにコーディネート可能で、前記希望条件情報に示される商品を前記ショップサーバーに蓄積された商品情報から検索する操作がなされるとともに、検索された商品情報から前記ユーザーに提示する商品情報を選択する操作がなされた場合に、選択された前記商品情報を前記メインサーバーに出力し、
前記ユーザー出力手段は、前記希望条件情報を入力した前記ユーザーの前記情報端末に、前記加盟店の前記情報端末から入力された前記商品情報を出力し、
前記ユーザーの前記情報端末は、入力された前記商品情報を表示することを特徴とする。
【０００９】
請求項１に記載の発明において、所有物としては、たとえば、服飾、髪型、化粧品、履物、眼鏡、時計、ＯＡ・ＡＶ機器その他がある。このための情報端末としては、たとえば家庭または職場のパーソナルコンピューター、モバイルコンピューター、携帯電話などがある。
【００１０】
請求項２記載の商品情報案内システムは、請求項１に記載の発明において、前記ユーザーが購入を希望する前記商品および前記ユーザーが所有する所有物品が服飾、履物、装身具等の身だしなみに関して身に着ける物品であり、
前記メインサーバーの前記データベースには、前記ユーザーの前記情報端末から入力された前記ユーザーの身長等のユーザーの体格の各サイズの情報である体格データが登録されて蓄積され、
前記ショップ出力手段は、前記ユーザーの前記情報端末から前記希望条件情報が前記メインサーバーに入力された場合に、前記希望条件を入力した前記情報端末の前記ユーザーに基づいて前記データベースに登録された前記体格データを求め、前記希望条件情報および前記所有物品データに加えて前記体格データを各加盟店の前記情報端末に出力し、
前記各加盟店の前記情報端末には、前記所有物品データおよび前記希望条件情報に加えて前記体格データが入力されることを特徴とする。
【００１１】
請求項３記載の商品情報案内方法は、ユーザーが商品の購入を希望する場合に、前記ユーザーが購入を希望する商品の種類の中から前記ユーザーが所有する所有物品のいずれかにコーディネート可能で購入可能な商品の商品情報を提示するための商品情報案内システムは、
メインサーバーと、当該メインサーバーにネットワークを介して接続可能な不特定の前記ユーザーの情報端末と、前記メインサーバーにネットワークを介して接続可能で、前記商品を販売する複数の加盟店それぞれの情報端末とを備え、
前記加盟店の前記情報端末は、前記商品情報が検索可能に蓄積されたショップサーバーを備え、
前記メインサーバーは、前記ユーザーの前記情報端末および／または前記ユーザーが商品を購入した前記加盟店の前記情報端末から入力され、各ユーザーが所有する前記所有物品の商品名等の前記所有物品を示す所有物品データを記憶するデータベースと、
前記ユーザーの前記所有物品データを含む情報を各加盟店の前記情報端末に出力するショップ出力手段と、
前記加盟店の前記情報端末から入力された前記商品情報を含む情報を前記ユーザーの前記情報端末に出力するユーザー出力手段とを備え、
前記商品情報案内システムを用いた商品情報案内方法であって、
前記ショップ出力手段は、前記ユーザーの前記情報端末から購入を希望する商品の種類、予算等の前記商品購入の希望条件を示す希望条件情報が前記メインサーバーに入力された場合に、前記希望条件を入力した前記情報端末の前記ユーザーに基づいて前記データベースに登録された前記所有物品データを求め、前記希望条件情報と、前記所有物品データとを各加盟店の前記情報端末に出力し、
前記加盟店の前記情報端末は、前記所有物品データと前記希望条件情報とが入力されるとともに、前記所有物品データおよび前記希望条件情報を参照可能に表示し、
かつ、前記所有物品データに示される所有物品のいずれかにコーディネート可能で、前記希望条件情報に示される商品を前記ショップサーバーに蓄積された商品情報から検索する操作がなされるとともに、検索された商品情報から前記ユーザーに提示する商品情報を選択する操作がなされた場合に、選択された前記商品情報を前記メインサーバーに出力し、
前記ユーザー出力手段は、前記希望条件情報を入力した前記ユーザーの前記情報端末に、前記加盟店の前記情報端末から入力された前記商品情報を出力し、
前記ユーザーの前記情報端末は、入力された前記商品情報を表示することを特徴とする。
【００１２】
請求項４記載の商品情報案内方法は、請求項３記載の発明において、前記ユーザーが購入を希望する前記商品および前記ユーザーが所有する所有物品が服飾、履物、装身具等の身だしなみに関して身に着ける物品であり、
前記メインサーバーの前記データベースには、前記ユーザーの前記情報端末から入力された前記ユーザーの身長等のユーザーの体格の各サイズの情報である体格データが登録されて蓄積され、
前記ショップ出力手段は、前記ユーザーの前記情報端末から前記希望条件情報が前記メインサーバーに入力された場合に、前記希望条件を入力した前記情報端末の前記ユーザーに基づいて前記データベースに登録された前記体格データを求め、前記希望条件情報および前記所有物品データに加えて前記体格データを各加盟店の前記情報端末に出力し、
前記各加盟店の前記情報端末には、前記所有物品データおよび前記希望条件情報に加えて前記体格データが入力されることを特徴とする。
【００１３】
【発明の実施の形態】
以下、本発明の実施の形態を図面を参照して説明する。図１は、本実施の形態に係る商品情報案内システムの概略構成を説明するための図である。
本システムは、複数の加盟店を抱える通信事業者の統合管理センター１９などに備えられるメインサーバー１０を有している。メインサーバー１０には、不特定のユーザーが家庭、職場などで所有、所持または携帯するユーザー情報端末２０と、各加盟店が店舗、コールセンターなどで所有などするショップ情報端末３０Ａ、３０Ｂ、３０Ｃ・・・とがネットワークＮＷ１、ＮＷ２を介して接続可能である。ショップ情報端末３０Ａ、３０Ｂ、３０Ｃ・・・は、デジタルコンテンツ（コンテンツ）のための各ショップサーバー４０Ａ、４０Ｂ、４０Ｃ・・・を有している。したがって、ユーザー情報端末２０が、たとえばインターネット上で各ショップ情報端末３０Ａ、３０Ｂ、３０Ｃ・・・とメインサーバー１０を介して通信接続が可能な構成になっている。ネットワークＮＷ２としては、コンピューター通信のためのイントラネット、エクストラネットであっても良い。以下、ユーザーが服飾、履物、装身具について身だしなみを整える場合を一例として説明するが、これに限られるものではない。ショップ情報端末３０Ａとショップサーバー４０Ａは服飾店の、ショップ情報端末３０Ｂとショップサーバー４０Ｂは履物店の、また、ショップ情報端末３０Ｃとショップサーバー４０Ｃは装身具の各店舗が有する装置である。
【００１４】
メインサーバー１０は、図２に示すとおり、ユーザーおよび各ショップサイトとのネットワーク通信手段１１と、ショップサイトに対する共通情報およびコンテンツの案内に用いられる前提情報を蓄積するデータベース１２と、ユーザーの条件情報に適したショップサイトを選択するショップサイト選択手段１３とを有している。ショップサイト選択手段１３には、各加盟店のショップサイトを特定するためのＵＲＬアドレステーブルが備えられる。たとえば、共通情報としては、ユーザーの体格、身だしなみの嗜好などに関する情報が、前提情報としては、ユーザーが既に整えてある身だしなみの内容に関する情報がある。これらの情報がユーザーごとにデータベース１１に登録されて所定メモリ領域内に蓄積される。また、条件情報としては、たとえばユーザーが直面しているニーズの内容などがあり、このニーズがショップサイト選択手段での選択条件とされてニーズを満たし得るショップサイトに対してリンクが張られ、条件情報が共通情報および前提情報と共に転送される。
【００１５】
ショップサーバー４０Ａ、４０Ｂ、４０Ｃ・・・には、各加盟店のコンテンツが蓄積されている。このために、各ショップサーバー４０Ａ、４０Ｂ、４０Ｃ・・・が、メインサーバー１０からの共通情報、前提情報および条件情報に基づいて、メインサーバー１０を介してユーザーに適切なコンテンツを提供することができる。
【００１６】
次に、本システムを用いて行う商品情報案内方法を、図３に示すフローチャートと、図１、２に示すシステム構成図を参照しつつ説明する。
まず、ユーザー個別の事項をデータベース１２に蓄積するステップＳＴ１０について説明する。このステップＳＴ１０では、あらかじめメインサーバー１０のデータベース１２に、ユーザーが自分自身に関するアイテムを登録すれば良い。ユーザー登録制であればあらかじめ入会時などに、また、随時入力式ならば必要なときにあらかじめ登録しておけば、更新されるまでデータベース１２に保存される。このような個別の事項としては、図４に示す「体格データなどの登録」画面に表示されるように、ユーザーの身長（センチメートル）、体重（グラム）、胸囲（以下センチメートル）、肩幅、股下、ウェスト、ヒップ、首廻り、足サイズ、頭廻りなどの体格に関する事項があり、服飾の仕立て寸法や靴のサイズに適用される。さらに、ユーザーの趣味に関する事項と、ユーザーのキー入力によるコメントが身だしなみのコーディネートのために加盟店での評価材料に用いられる。
【００１７】
さらに、ユーザーが既に整えてある事項をデータベース１２に蓄積するステップＳＴ２０が実行される。このステップＳＴ２０では、図５に示す「商品データの登録」画面に表示されるように、ユーザーが氏名を明示すると共に商品番号をキー入力し、自分自身の所持品をデータベース１２に登録しておく。この商品番号によって、その商品（たとえばＹシャツ）の種類（ビジネス用）、色（ピンク）、模様（無地）、ブランド名（Burberrys（商標））、サイズ（Ｓ）などがデータベース１２から自動入力されるが、商品番号が不明であるときには、ユーザーが各項目をキー入力する。その他特徴の欄には、たとえば「ボタンダウンではない。襟はやや広め、カフスボタン無し。比較的薄手なので冬は着ることができない。」などの付加説明を記す。また、写真の欄には、ユーザーが所持品の正面、裏面、側面などについて自作の写真を貼り付けられる。ユーザーが入力内容を確認してＯＫであれば、送信ボタンをクリックしてメインサーバー１０に送信することができる。「商品データの登録」画面をショップサイトの情報端末３０Ａ〜３０Ｃ・・・に表示させる場合があり、そのユーザーに所持品を販売した加盟店が商品データを登録することもできる。
【００１８】
続いて、ユーザーの希望条件を提示するステップＳＴ３０が実行される。このステップＳＴ３０では、図６に示す「ニーズデータの登録」画面に表示されるように、同様に氏名を明示して身だしなみを整えたい事情（ＴＰＯ）（たとえば結婚式の二次会）、希望する商品名（WANTS１〜３）（ネクタイ、靴、ベルト）、合計予算の額（￥）、期限の年月日、入手希望の場所（新宿付近）をキー入力し、ユーザーのニーズをデータベース１２に登録しておく。コメントの欄には、たとえば「ベルトはカジュアルでも使えるようなものを希望。」などの付加説明を記す。整えたい事情と商品名については、複数項目のプルダウンメニューなどから選択させれば都合がよい。ユーザーが入力内容を確認してＯＫであれば、送信ボタンをクリックしてメインサーバー１０に送信することができる。
【００１９】
これらの情報がメインサーバー１０に揃った状態で、各情報を適切なショップサイトに転送するステップＳＴ４０が実行される。このステップＳＴ４０では、図７に示す「商品データの参照」画面に表示されるように、顧客名（ユーザー）が明示されると共にそのユーザーについてデータベース１２内の所持品が検索され、該当する商品番号、種類、色、模様、ブランド名、サイズ、付加説明などが各ショップサイトの情報端末３０Ａ〜３０Ｃ・・・に転送される。複数個の所持品が登録してあるときには、各商品番号ごとにタグが付されて複数頁構成で表示されるために、加盟店が各タグをクリックすることにより全ての所持品の商品情報を参照できる。また、既にデータベース１２に登録してある体格データも併せて転送される。ユーザーが入力内容を確認してＯＫであれば、送信ボタンをクリックしてメインサーバー１０に送信することができる。
【００２０】
続いて、ショップサイトからの該当商品の商品情報をユーザーに転送するステップＳＴ５０が実行される。このステップＳＴ５０では、図８（ａ）に示す「案内商品の登録」画面に表示されるように、たとえばネクタイについて○○○ショップによりショップサイトの情報端末３０Ａで、ユーザーの希望商品の組合せ（ご希望番号）について、ショップサーバー４０Ａがコーディネートの観点からデータベースを検索して適切な商品を選択する。そして、該当商品の商品情報が商品番号、商品名、色、ブランド名、価格として、ご希望番号（１）と共にメインサーバー１０を介してユーザー情報端末２０に転送される。コメントの欄には、「お持ちのピンクＹシャツと組み合わせてはいかがでしょうか？
同じBurberrys（商標）で相性もピッタリです。この価格ならば、予算内でベルトと靴をお買い求めになることも可能です。」などの判断根拠を記す。推奨組合せの欄には、加盟店による所定の検索条件で独自に適切な商品を選択し、商品Ａ、Ｂ、Ｃの紹介頁への各リンクとして表示させる。外観の欄には、各該当商品の見本画像を貼り付けることができる。加盟店が入力内容を確認してＯＫであれば、図示しない送信ボタンをクリックしてメインサーバー１０に送信することができる。
【００２１】
ユーザー情報端末２０では、「案内商品の登録」画面による登録内容に基づいて、図８（ｂ）に示す「案内商品の提示」画面に表示されるように、ショップ名（○○○ショップ）が明示されると共に、商品名、商品番号、ブランド名、色、価格などとして、ご希望番号に対応する組合せ見本と共に表示される。組合せ見本の欄には、その他にも加盟店による推奨商品（商品Ａ、Ｂ、Ｃ）について組合せの見本画像が例示される。
【００２２】
【発明の効果】
以上説明したように、本発明によれば、ユーザーの所有物に関する情報を登録しておけば、これらの情報とコーディネート可能なコンテンツを、適切なショップサイトからユーザーに案内できる。
【００２３】
【図面の簡単な説明】
【図１】  本実施の形態に係る商品情報案内システムの一例を示すものであり、該システムの概略構成を説明するための図である。
【図２】  同、メインサーバーのブロック図である。
【図３】  本実施の形態に係る商品情報案内方法の工程例を説明するための図である。
【図４】  同、「体格データなどの登録」画面を示す様式図である。
【図５】  同、「商品データの登録」画面を示す様式図である。
【図６】  同、「ニーズデータの登録」画面を示す様式図である。
【図７】  同、「商品データの参照」画面を示す様式図である。
【図８】  同、「案内商品の登録」画面および「案内商品の提示」画面を示す様式図である。
【符号の説明】
１０  メインサーバー（ショップ出力手段、ユーザー出力手段）
１１  ネットワーク通信手段
１２  データベース
１３  ショップサイト検索手段
２０  ユーザー情報端末
３０Ａ、３０Ｂ、３０Ｃ  ショップ情報端末
４０Ａ、４０Ｂ、４０Ｃ  ショップサーバー
ＮＷ１、ＮＷ２  ネットワーク
【図１】
0004758024.tif 000002
【図２】
0004758024.tif 000003
【図３】
0004758024.tif 000004
【図４】
0004758024.tif 000005
【図５】
0004758024.tif 000006
【図６】
0004758024.tif 000007
【図７】
0004758024.tif 000008
【図８】
0004758024.tif 000009